(57)【特許請求の範囲】
【請求項１】
ドレイン上部を被覆するための排水部被覆部材であって、
前記ドレインの周辺部は、該ドレインに向かう下降傾斜である第一傾斜部と、前記ドレインに対して前記第一傾斜部と対向する位置に形成されて前記ドレインに向かう下降傾斜である第二傾斜部とを少なくとも備え、床面を基準として前記ドレインを最底部とする凹形状に形成されており、
前記排水部被覆部材は、前記ドレインの前記周辺部を覆う枠部材と、該枠部材に対し着脱可能に構成されるとともに前記ドレインの上方を覆う上面部材と、を有して構成されており、
前記枠部材は、前記ドレインの配設位置を境に、前記第一傾斜部側に配設される第一外周部材と、前記第二傾斜部側に配設される第二外周部材と、に分割して形成され、
前記第一外周部材と前記第二外周部材との接合部は前記ドレイン側上方に配設され、
前記接合部と隣り合う位置であって、かつ、前記ドレイン上方の位置には、前記上面部材が着脱可能に嵌め込まれる点検開口部が形成されており、
前記第一外周部材の前記ドレイン側端部からは、前記ドレインにむけて垂下する第一外周脚部が形成されるとともに、前記第二外周部材の前記ドレイン側端部からは、前記ドレインに向けて垂下する第二外周脚部が形成されており、
前記第一外周脚部及び前記第二外周脚部は、前記第一傾斜部の前記床面からの高低差及び前記第二傾斜部の前記床面からの高低差と各々整合する長さに設定されており、前記第一外周脚部は前記第一傾斜部の前記ドレイン側端部に設置されるとともに、前記第二外周脚部は前記第二傾斜部の前記ドレイン側端部に設置されて、前記ドレインの周辺部と前記床面との高低差分を緩和することを特徴とする排水部被覆部材。
【請求項２】
前記第一外周部材の前記ドレイン側は切り欠かれて第一外周切欠き部が形成されるとともに、前記第二外周部材の前記ドレイン側は切り欠かれて第二外周切欠き部が形成されており、
前記第一外周部材と前記第二外周部材とを、前記第一外周切欠き部と前記第二外周切欠き部とが形成された部分で合わせると、
前記第一外周切欠き部と前記第二外周切欠き部とで、前記点検開口部が形成されることを特徴とする請求項１に記載の排水部被覆部材。
【請求項３】
前記第一外周脚部及び前記第二外周脚部は、前記第一外周切欠き部の周縁の一部及び前記第二外周切欠き部の周縁の一部から各々折り曲げ形成されており、
前記第一外周脚部及び前記第二外周脚部は、前記ドレインへの水流方向を妨げない方向に垂下していることを特徴とする請求項２に記載の排水部被覆部材。
【請求項４】
前記上面部材の周縁の一部から折り曲げ形成された上面脚部が、前記ドレインに向けて垂下しており、
前記上面脚部は、前記ドレインへの水流方向を妨げない方向に垂下するとともに、前記ドレインの周縁部の少なくとも一部に接触していることを特徴とする請求項１乃至請求項３いずれか一項に記載の排水部被覆部材。
【請求項５】
前記上面部材には、該上面部材を前記枠部材より着脱するための作業孔が形成されていることを特徴とする請求項１乃至請求項４いずれか一項に記載の排水部被覆部材。
【発明の詳細な説明】
【技術分野】
【０００１】
本発明は、排水部被覆部材に係り、特に、水勾配による不陸を有する箇所に有効に適用可能に構成された排水部被覆部材に関するものである。
【背景技術】
【０００２】
例えば、ベランダ等においては、雨水等を排水するための排水部であるドレインが存在する。
このようなドレインから、ベランダ床に存在する水分を効率的に排水するために、ドレイン周りには、ドレインに向かう勾配が形成されている。
一方、ベランダ床には、バルコニーマット等を施工することが多く、このような場合、ドレインに向かう勾配のため、不陸状態となるという問題があった。
このような不陸状態を解消するための技術が提案されている（例えば、特許文献１乃至特許文献３参照）。
【０００３】
特許文献１には、ベランダ等の排水部を被覆するカバー部材が開示されている。
このカバー部材は、ドレイン上に自立配置される部材であり、ドレイン上部を被覆する平板部と、排水誘導部上に立設される複数の脚部を備えて構成される。
この脚部は、平板部に対して垂直に立設しているが、これらの長さ（平板部から自由端までの距離）は、排水誘導部の傾斜に応じて異なっており、このように長さを変えることによって、排水誘導部の排水勾配を吸収して、不陸状態を解消する。
同様に、特許文献２及び特許文献３も、ドレインを覆う平板部に対して、長さ（平板部から自由端までの距離）の異なる脚部を形成することにより、ドレイン周りの不陸を解消するよう構成されている。
【先行技術文献】
【特許文献】
【０００４】
【特許文献１】特許第５２９７７１８号公報
【特許文献２】特許第３３３０３１７号公報
【特許文献３】特許第４４７５９０５号公報
【発明の概要】
【発明が解決しようとする課題】
【０００５】
しかし、特許文献１乃至特許文献３の技術によると、一つのカバー部材によりドレイン上方部分を被覆するため、ドレインの点検及び清掃等の作業を行う際に不便であるという問題があった。
また、ドレイン周りの水勾配サイズに対応することは困難であった。
更に、フロアマットを敷設することが想定されたものではなかった。つまり、ドレイン上方部に敷設されるフロアマットを支持することが想定されたものではなかった。
【０００６】
本発明の目的は、上記各問題点を解決することにあり、水勾配による不陸を解消するとともにドレインの点検及び清掃等の作業を容易に行うことを可能とした排水部被覆部材を提供することにある。
また、本発明の他の目的は、ドレイン周りの水勾配サイズに柔軟に対応することが可能となった排水部被覆部材を提供することにある。
【課題を解決するための手段】
【０００７】
上記課題は、請求項１に係る排水部被覆部材によれば、ドレイン上部を被覆するための排水部被覆部材であって、前記ドレインの周辺部は、該ドレインに向かう下降傾斜である第一傾斜部と、前記ドレインに対して前記第一傾斜部と対向する位置に形成されて前記ドレインに向かう下降傾斜である第二傾斜部とを少なくとも備え、床面を基準として前記ドレインを最底部とする凹形状に形成されており、前記排水部被覆部材は、前記ドレインの前記周辺部を覆う枠部材と、該枠部材に対し着脱可能に構成されるとともに前記ドレインの上方を覆う上面部材と、を有して構成されており、前記枠部材は、前記ドレインの配設位置を境に、前記第一傾斜部側に配設される第一外周部材と、前記第二傾斜部側に配設される第二外周部材と、に分割して形成され、前記第一外周部材と前記第二外周部材との接合部は前記ドレイン側上方に配設され、前記接合部と隣り合う位置であって、かつ、前記ドレイン上方の位置には、前記上面部材が着脱可能に嵌め込まれる点検開口部が形成されており、前記第一外周部材の前記ドレイン側端部からは、前記ドレインにむけて垂下する第一外周脚部が形成されるとともに、前記第二外周部材の前記ドレイン側端部からは、前記ドレインに向けて垂下する第二外周脚部が形成されており、前記第一外周脚部及び前記第二外周脚部は、前記第一傾斜部の前記床面からの高低差及び前記第二傾斜部の前記床面からの高低差と各々整合する長さに設定されており、前記第一外周脚部は前記第一傾斜部の前記ドレイン側端部に設置されるとともに、前記第二外周脚部は前記第二傾斜部の前記ドレイン側端部に設置されて、前記ドレインの周辺部と前記床面との高低差分を緩和することにより解決される。
【０００８】
このように、本発明に係る排水部被覆部材は、枠部材と、上面部材と、に分かれて構成されており、また、枠部材は更に、第一外周部材と、第二外周部材と、に分割構成されている。
そして、第一外周部材及び第二外周部材には、第一外周脚部及び第二外周脚部が各々構成されており、これらにより、ドレイン周りの下降傾斜高低差（床面との高低差分）を緩和（補填）することができる。
つまり、床面から傾斜をもって下降した場所に形成されるドレイン上方部分を、床面高さに近づけて、ドレインの上方部分を床面とフラット、若しくは、フラットに近い形状とすることができる。
なお、フラットに近い形状とは、床面にフロアマットを敷設する際に、床面に対し、不自然な傾斜や凹部が形成されない程度の形状を指す。
このように構成されているため、フロアマットを敷設する際に、傾斜や段差がなく、作業性が向上するとともに、意匠性及び機能性においても有利である。
このとき、枠部材が第一外周部材と第二外周部材とに分割構成されていることにより、第一傾斜部と第二傾斜部との傾斜具合（高低差）が異なっていても、第一外周脚部と第二外周脚部の高さを変更することにより、柔軟に対応することが可能となる。
また、第一外周部材と第二外周部材との接合部分（ドレイン側の上方となる）には、点検開口部（ドレイン上方であり、直上であると望ましい）が形成されており、この点検開口部に上面部材が着脱可能に配置されている。
よって、普段は、この上面部材を点検開口部に配置することで、ドレイン周りの不陸を解消するとともにドレイン直上部分を被覆することが可能であるが、ドレイン点検時には、この上面部材を取り外すことで、点検作業が容易になる。
【０００９】
このとき、請求項２に記載のように、前記第一外周部材の前記ドレイン側は切り欠かれて第一外周切欠き部が形成されるとともに、前記第二外周部材の前記ドレイン側は切り欠かれて第二外周切欠き部が形成されており、前記第一外周部材と前記第二外周部材とを、前記第一外周切欠き部と前記第二外周切欠き部とが形成された部分で合わせると、前記第一外周切欠き部と前記第二外周切欠き部とで、前記点検開口部が形成されると、サイズ調整を容易に行うことができるため好適である。
【００１０】
また、このとき、具体的構成としては、請求項３に記載のように、前記第一外周脚部及び前記第二外周脚部は、前記第一外周切欠き部の周縁の一部及び前記第二外周切欠き部の周縁の一部から各々折り曲げ形成されており、前記第一外周脚部及び前記第二外周脚部は、前記ドレインへの水流方向を妨げない方向に垂下していると好適である。
このように構成されていると、折り曲げ形成により、容易に製造することが可能となるとともに、ドレインへの排水を潤滑に行うことができる。
【００１１】
更にこのとき、請求項４に記載の通り、前記上面部材の周縁の一部から折り曲げ形成された上面脚部が、前記ドレインに向けて垂下しており、前記上面脚部は、前記ドレインへの水流方向を妨げない方向に垂下するとともに、前記ドレインの周縁部の少なくとも一部に接触していると、上面部材を容易に支持できるため好適である。
【００１２】
また更に、このとき、請求項５に記載のように、前記上面部材には、該上面部材を前記枠部材より着脱するための作業孔が形成されていると、簡易に上面部材を着脱（特に、取外し）できるため好適である。
この作業孔を、成人の指がかかる大きさに設定すると、特別な治具を必要とせず、簡易に着脱ができ更に好適である。
また、この孔を並列して２個形成すると、特に上面部材を取り外す際に、摘み上げることができるため、更に作業性が向上する。
【発明の効果】
【００１３】
本発明に係る排水部被覆部材は、各パーツに分割構成されており、各々に脚部が形成されて、水勾配高低差を補填しているため、ドレイン周りの水勾配による不陸を解消することができるとともに、水勾配に傾斜度合やドレイン周りのサイズ変更に柔軟に対応することができる。
また、ドレイン上方に、点検用の開口部を形成し、この開口部に着脱可能な上面部材を配置したため、普段は当該上面部材により、不陸を解消してフラットな上面を形成しているが、点検や清掃時等には、この上面部材を取り除き、開口部よりドレインにアクセスすることが可能となる。
このように、本発明に係る排水部被覆部材においては、水勾配による不陸を解消するとともにドレインの点検及び清掃等の作業を容易に行うことができる。
また、ドレイン周りの水勾配サイズに柔軟に対応することができる。
【図面の簡単な説明】
【００１４】
【図１】本発明の一実施形態に係る排水部被覆部材の使用箇所を示す説明図である。
【図２】本発明の一実施形態に係る排水部被覆部材を示す分解図である。
【図３】本発明の一実施形態に係る枠部材を示す平面図である。
【図４】図３のＡ視及びＢ視を示す側面図である。
【図５】本発明の一実施形態に係る上面部材を示す平面図及び側面図である。
【図６】本発明の一実施形態に係る排水部被覆部材の使用箇所を示す上面図である。
【図７】図６のＥ−Ｅ線断面図である。
【図８】本発明の一実施形態に係る排水部被覆部材を配設した状態を示す断面説明図である。
【図９】本発明の一実施形態に係る排水部被覆部材を配設した状態を示す上面説明図である。
【図１０】本発明の一実施形態に係る排水部被覆部材のうち上面部材を取り外した状態を示す上面説明図である。
【発明を実施するための形態】
【００１５】
以下、本発明の一実施形態を図面に基づいて説明する。
なお、以下に説明する構成は本発明を限定するものではなく、本発明の趣旨の範囲内で種々改変することができるものである。
【００１６】
本実施形態は、ベランダ等ドレインに向けて形成される水勾配による不陸を解消するための排水部被覆部材に関するものである。
本実施形態に係る排水部被覆部材は、水勾配による不陸を解消することはもちろんのこと、ドレインの点検及び清掃等の作業を容易に行うことができるよう構成されている。
また、ドレイン周りの水勾配サイズに柔軟に対応することができる。
【００１７】
図１乃至図１０は、本発明に係る一実施形態を示すものであり、図１は排水部被覆部材の使用箇所を示す説明図、図２は排水部被覆部材を示す分解図、図３は枠部材を示す平面図、図４は図３のＡ視及びＢ視を示す側面図、図５は上面部材を示す平面図及び側面図、図６は排水部被覆部材の使用箇所を示す上面図、図７は図６のＥ−Ｅ線断面図、図８は排水部被覆部材を配設した状態を示す断面説明図、図９は排水部被覆部材を配設した状態を示す上面説明図、図１０は排水部被覆部材のうち上面部材を取り外した状態を示す上面説明図である。
【００１８】
≪排水部被覆部材が使用されるバルコニーについて≫
図１により、本実施形態に係る排水部被覆部材Ｓが使用される場所を説明する。
本実施形態に係る排水部被覆部材Ｓは、所謂「キャンチバルコニー」に使用されている。
キャンチバルコニーＶは、階層建築物の外壁から外側へ突出するような形態に形成されている。
このキャンチバルコニーＶは、階層建築物の外壁から外側方向に張り出したバルコニー床Ｖ１と、このバルコニー床Ｖ１の周縁から立設する腰壁Ｖ２により主として構成されている。
【００１９】
そして、バルコニー床Ｖ１の腰壁Ｖ２に近接して排水のためのドレインＤが形成されている。
このドレインＤは、階層建築物の各上下階層に上下方向に貫通するように間接された貫通ドレインＤ４に、単管Ｄ１を介して連結されており、これにより、バルコニー床Ｖ１上の水分は排水されることとなる。
このドレインＤ周辺の構造については、後に詳述する。
なお、本実施形態においては、キャンチバルコニーＶに適用した例を示したが、これに限られることはなく、他の形態のベランダ、テラス、陸屋根等、本発明の趣旨を逸脱しない範囲において、どのような場所の排水構造に対しても適用することが可能である。
【００２０】
≪排水部被覆部材の構成について≫
次いで、図２乃至図４により、本実施形態に係る排水部被覆部材Ｓの構成について説明する。
本実施形態に係る排水部被覆部材Ｓは、金属製鋼板により形成されており、枠部材１と、上面部材２と、を有して構成されている。
本実施形態に係る枠部材１は、第一外周部材１１と、第二外周部材１２と、を有して構成されている。
【００２１】
第一外周部材１１は、矩形状の平板の一辺側に略矩形の切欠きを形成した部材、つまり、略凹字形状の部材である。
詳細に説明すると、長方形状の矩形平板おける相対向する第一外周長辺１１ａ，１１ａの一方側を略長方形状に切り欠いて形成されている。
なお、当該長方形状の矩形平板の相対向する短辺を「第一外周短辺１１ｂ」と記す。
この切欠き部は、他方の第一外周長辺１１ａと略平行となる第一外周切欠構成第一辺１１ｃと、第一外周短辺１１ｂと略平行となる相対向する第一外周切欠構成第二辺１１ｄ，１１ｄにより、略長方形状に形成されている。
このように形成された切欠き部を「第一外周切欠き部Ｋ１」と記す。
また、第一外周切欠構成第二辺１１ｄ，１１ｄからは、第一外周脚部１１ｅ，１１ｅが起立している。
【００２２】
この第一外周脚部１１ｅは、図４に示すように、側面視（図４（ｃ）参照）略Ｌ字形状に形成されるとともに、第一外周部材１１の本体部分に対して略垂直に起立している。
この第一外周脚部１１ｅは、第一外周起立部１１ｆと、第一外周接地部１１ｇと、を有して構成されている。
この第一外周起立部１１ｆは、第一外周部材１１の本体部と略垂直となるように、第一外周切欠構成第二辺１１ｄ，１１ｄ付近から折り曲げ形成された矩形壁体であり、第一外周接地部１１ｇは、この第一外周起立部１１ｆの自由端側から外側へ向けて（対向する相手側の第一外周切欠構成第二辺１１ｄ存在側と反対方向側へ向けて）、第一外周起立部１１ｆと略垂直となるように屈曲している。
【００２３】
つまり、第一外周脚部１１ｅは、第一外周部材１１の本体部分に対して略垂直となるように、第一外周切欠構成第二辺１１ｄ付近を折り曲げ形成するとともに、その自由端縁を外側方向に屈曲させることにより、側面視略Ｌ字形状に形成される。
なお、第一外周脚部１１ｅの高さ、つまり、第一外周起立部１１ｆの高さであり、第一外周部材１１本体から第一外周接地部１１ｇまでの距離を、「距離ｔ１」とする。
【００２４】
第二外周部材１２もまた、第一外周部材１１と同様の構成であり、矩形状の平板の一辺側に略矩形の切欠きを形成した部材、つまり、略凹字形状の部材である。
詳細に説明すると、長方形状の矩形平板おける相対向する第二外周長辺１２ａ，１２ａの一方側を略長方形状に切り欠いて形成されている。
なお、当該長方形状の矩形平板の相対向する短辺を「第二外周短辺１２ｂ」と記す。
この切欠き部は、他方の第二外周長辺１２ａと略平行となる第二外周切欠構成第一辺１２ｃと、第二外周短辺１２ｂと略平行となる相対向する第二外周切欠構成第二辺１２ｄ，１２ｄにより、略長方形状に形成されている。
このように形成された切欠き部を「第二外周切欠き部Ｋ２」と記す。
また、第二外周切欠構成第二辺１２ｄ，１２ｄからは、第一外周脚部１２ｅ，１２ｅが起立している。
【００２５】
この第二外周脚部１２ｅは、図４に示すように、側面視（図４（ｄ）参照）略Ｌ字形状に形成されるとともに、第二外周部材１２の本体部分に対して略垂直に起立している。
この第二外周脚部１２ｅは、第二外周起立部１２ｆと、第二外周接地部１２ｇと、を有して構成されている。
この第二外周起立部１２ｆは、第二外周部材１２の本体部と略垂直となるように、第二外周切欠構成第二辺１２ｄ付近から折り曲げ形成された矩形壁体であり、第二外周接地部１２ｇは、この第二外周起立部１２ｆの自由端側から外側へ向けて（対向する相手側の第二外周切欠構成第二辺１２ｄ存在側と反対方向側へ向けて）、第二外周起立部１２ｆと略垂直となるように屈曲している。
【００２６】
つまり、第二外周脚部１２ｅは、第二外周部材１２の本体部分に対して略垂直となるように、第二外周切欠構成第二辺１２ｄ付近を折り曲げ形成するとともに、その自由端縁を外側方向に屈曲させることにより、側面視略Ｌ字形状に形成される。
なお、第二外周脚部１２ｅの高さ、つまり、第二外周起立部１２ｆの高さであり、第二外周部材１２本体から第二外周接地部１２ｇまでの距離を、「距離ｔ２」とする。
【００２７】
以上のように、第一外周部材１１及び第二外周部材１２は構成されており、第一外周部材１１と第二外周部材１２を、第一外周切欠き部Ｋ１と第二外周切欠き部Ｋ２とが向かいあうように合わせると、一つの矩形状の空間（孔）が形成されるように構成されている。
このように構成された矩形状の空間（孔）を、「点検開口部Ｋ」と記す。
つまり、枠部材１は、第一外周部材１１及び第二外周部材１２を組合わせて、中央部に点検開口部Ｋが形成された枠状の部材として形成されている。
【００２８】
本実施形態に係る上面部材２は、図５に示すように、略矩形平板状の部材であり、点検開口部Ｋの形状及び開口面積と、この上面部材２の形状及び面積とは整合するように構成されている。
つまり、上面部材２は、枠部材１に形成された点検開口部Ｋに嵌まり込むように構成されている。
この上面部材２の相対向する２辺からは、上面脚部２１ａ，２１ａが各々形成されている。
この上面脚部２１ａが形成される辺を、「上面辺２１ｂ」と記す。
上面脚部２１ａは、側面視（図５（ｂ）参照）略Ｌ字形状に形成されるとともに、上面部材２の本体部分に対して略垂直に起立している。
【００２９】
この上面脚部２１ａは、上面起立部２１ｃと、上面接地部２１ｄと、を有して構成されている。
この上面起立部２１ｃは、上面部材２の本体部と略垂直となるように、上面辺２１ｂ付近から折り曲げ形成された矩形壁体であり、上面接地部２１ｄは、この上面起立部２１ｃの自由端側から内側へ向けて（対向する相手側の上面辺２１ｂ存在方向側へ向けて）、上面起立部２１ｃと略垂直となるように屈曲している。
【００３０】
つまり、上面脚部２１ａは、上面部材２の本体部分に対して略垂直となるように、上面辺２１ｂ付近を折り曲げ形成するとともに、その自由端縁を内側方向に屈曲させることにより、側面視略Ｌ字形状に形成される。
なお、上面脚部２１ａの高さ、つまり、上面起立部２１ｃの高さであり、上面部材２本体から上面接地部２１ｄまでの距離を、「距離ｔ３」とする。
【００３１】
また、上面部材２の本体中央部には、２個の作業孔２１ｅ，２１ｅが並列して穿孔されている。
この２個の作業孔２１ｅ，２１ｅは、指が入るように構成されていると好適である。
このように構成されていると、特別な治具を使用することなく、点検開口部Ｋに嵌め込まれた上面部材２を、取り外すことができ、点検作業等の効率を上げることができる。
【００３２】
以上のように、本実施形態に係る排水部被覆部材Ｓは、第一外周部材１１及び第二外周部材１２を組み合わせて枠部材１を形成した後、中央部に形成された点検開口部Ｋに、上面部材を嵌め込むことにより完成される。
なお、本実施形態においては、距離ｔ１＝距離ｔ２＝距離ｔ３＝水勾配最大高低差として構成されている。
しかし、これらの距離は、これに限定されるものではなく、水勾配の傾斜度合やバランス等によって、これらの距離を調整することが可能である。
つまり、これらの距離を調整することによって、水勾配の傾斜面がどのように構成されていても不陸となるように調整することが可能となる。
【００３３】
≪排水部被覆部材の使用状態について≫
次いで、排水部被覆部材Ｓの使用状態について説明する。
まず、図６により、本実施形態において排水部被覆部材Ｓが使用される箇所の構造について説明する。
バルコニー床Ｖ１の腰壁Ｖ２側には、バルコニー床Ｖ１よりも低く溝状に掘りこまれた排水誘導溝Ｖ３が腰壁Ｖ２に沿って形成されている。
【００３４】
なお、バルコニー床Ｖ１は、排水のために、この排水誘導溝Ｖ３に向かってわずかに下降するように傾斜している。
そして、腰壁Ｖ２側で排水誘導溝Ｖ３と合流しており、バルコニー床Ｖ１上の水は、排水誘導溝Ｖ３へと落とし込まれるよう構成されている。
また、バルコニー床Ｖ１の腰壁Ｖ２近方には、ドレインＤが形成されている。ドレインＤの上面は、フィルタＤ２が被覆配置されており、水以外のゴミ等がドレインＤに落ち込むことを防止している。
【００３５】
また、図７に示すように、ドレインＤの周辺部Ｄ３は、ドレインＤに向かって下降するように傾斜している。
なお、ドレインＤの周辺部Ｄ３のうち、バルコニー床Ｖ１の外側方向端部からドレインＤに向かう下降傾斜を「内側傾斜面Ｄ３２」と記し、腰壁Ｖ２下端からドレインＤに向かう下降傾斜を「外側傾斜面Ｄ３１」と記す。
また、図６の矢印にて、バルコニー床Ｖ１及びドレインＤ周辺の水勾配の方向を示した。
【００３６】
次いで、図８により、排水部被覆部材Ｓの配置状態を説明する。
本実施形態においては、外側傾斜面Ｄ３１の水勾配の最高高低差（腰壁Ｖ２下端部とドレインＤの上面部との落差）を「高低差ｔ４」とし、ドレインＤの周辺部Ｄ３を構成する内側傾斜面Ｄ３２の水勾配の最高高低差（バルコニー床Ｖ１の周辺部Ｄ３側端部とドレインＤの上面部との落差）を「高低差ｔ５」とすると、
距離ｔ１＝距離ｔ２＝距離ｔ３＝高低差ｔ４＝高低差ｔ５
となるように構成されている。
【００３７】
また、排水部被覆部材Ｓの表面積は、ドレインＤの周辺部の占有上面積と整合、若しくはこれよりも若干大きくなるように構成されている。
特に、図８に示すように、第一外周部材１１と第二外周部材１２とを組み合わせた状態において、枠部材１の幅ｔ６（第一外周部材１１から第二外周部材１２に亘る距離である）は、ドレインＤの周辺部Ｄ３の幅ｔ７（腰壁Ｖ２から部屋側へと向かう距離である）よりも若干大きくなるように構成されている。
【００３８】
なお、第一外周部材１１の外周部材幅（切欠き部Ｋ１が切り込まれる方向に沿った方向：短辺と平行な方向）を幅ｔ６１とし、第二外周部材１２の外周部材幅（切欠き部Ｋ２が切り込まれる方向に沿った方向：短辺と平行な方向）を幅ｔ６２とし（幅ｔ６１＋幅ｔ６２＝幅ｔ６）する。
また、ドレインＤの周辺部Ｄ３の外側幅（腰壁側下端部からドレインＤの腰壁Ｖ２に沿った中心線Ｌまでの距離）を幅ｔ７１とし、ドレインＤの周辺部Ｄ３の内側幅（バルコニー床Ｖ１の腰壁側端部からドレインＤの腰壁Ｖ２に沿った中心線Ｌまでの距離）を幅ｔ７２とする（幅ｔ７１＋幅ｔ７２＝幅ｔ７）。
【００３９】
このように構成されているため、第一外周脚部１１ｅ，１１ｅを外側傾斜面Ｄ３１のドレインＤ近接位置に立設し、第二外周脚部１２ｅ，１２ｅを内側傾斜面Ｄ３２のドレインＤ近接位置に立設すると、排水部被覆部材Ｓは、ドレインＤの周辺部Ｄ３を被覆するとともに、これら第一外周脚部１１ｅ，１１ｅ、第二外周脚部１２ｅ，１２ｅ、上面脚部２１ａ，２１ａにより、排水部被覆部材Ｓの上面は、バルコニー床Ｖ１と面一になる。
つまり、ドレインＤとそこへ導く下降傾斜によって形成されたドレインＤ周りの不陸を解消することができる。
よって、バルコニー床に床材を敷き詰める場合に、不陸状態により段差が形成されるとともに、意匠面も向上させることができる。
【００４０】
更に、このとき、上面部材２は、ドレインＤの直上となる位置へ配設されるよう構成されている。
このため、上面部材２を、枠部材１から取り外すと、図１０に示すようにドレインＤが露出する。
よって、ドレインＤ部分の点検や、修理・清掃等を用意に行うことが可能となる。
【００４１】
また、第一外周部材１１と第二外周部材１２との境界は、床面の傾斜が変化する位置であると望ましい。
本実施形態においては、バルコニー床Ｖ１と排水誘導溝Ｖ３との境界部分と整合していると、高さの微調整が可能となるため望ましい。
また、第一外周脚部１１ｅ，１１ｅ、第二外周脚部１２ｅ，１２ｅは、水流方向を妨げないように折り曲げ形成されている。
つまり、水流方向に沿うように立設している。
このため、排水部被覆部材Ｓを配設したことにより、排水機能が低下することを有効に防止することが可能となる。
【００４２】
更に、本実施形態に係る枠部材１は、第一外周部材１１と第二外周部材１２とに分割できるよう構成されている。
このため、幅ｔ６１及び幅ｔ６２を調整することによって、腰壁Ｖ２、ドレインＤ、バルコニー床Ｖ１の腰壁側端部の距離関係が異なっても、簡易かつ柔軟に対応することができる。
また、本実施形態においては、第一外周脚部１１ｅと第二外周脚部１２ｅとの長さを同じ（距離ｔ１＝距離ｔ２）としたが、外側傾斜面Ｄ３１の水勾配の最高高低差と内側傾斜面Ｄ３２の水勾配の最高高低差が異なる場合（高低差ｔ４≠高低差ｔ５）、これに合せて、第一外周脚部１１ｅ及び第二外周脚部１２ｅの長さを変えることにより、簡易かつ柔軟に対応することが可能となる。
つまり、枠部材１は、第一外周部材１１と第二外周部材１２とに分割できるように構成したため、ドレインＤの周辺部Ｄ３のサイズが変化しても、この変化に柔軟かつ簡易に対応することが可能となる。
【００４３】
更に、本実施形態においては、点検開口部Ｋを形成するために、第一外周切欠き部Ｋ１及び第二外周切欠き部Ｋ２を切欠き形成した。
このため、第一外周脚部１１ｅと第二外周脚部１２ｅは、これら第一外周切欠き部Ｋ１及び第二外周切欠き部Ｋ２を切り欠く際に原型もともに切り抜いておき、折り曲げることにより簡易に折り曲げ形成することができる。
また、この点検開口部Ｋは、ドレインＤの点検口として機能するとともに、この点検開口部Ｋに上面部材２を着脱可能に配設した。
よって、普段は、ドレインＤ上部は、被覆されて面一となるとともに、点検や清掃等を行うときには、簡易に上面部材２を取り外してドレインＤを露出させることができる。
【符号の説明】
【００４４】
Ｓ  排水部被覆部材
１  枠部材
１１  第一外周部材
１１ａ  第一外周長辺
１１ｂ  第一外周短辺
１１ｃ  第一外周切欠構成第一辺
１１ｄ  第一外周切欠構成第二辺
１１ｅ  第一外周脚部
１１ｆ  第一外周起立部
１１ｇ  第一外周接地部
１２  第二外周部材
１２ａ  第二外周長辺
１２ｂ  第二外周短辺
１２ｃ  第二外周切欠構成第一辺
１２ｄ  第二外周切欠構成第二辺
１２ｅ  第二外周脚部
１２ｆ  第二外周起立部
１２ｇ  第二外周接地部
Ｋ  点検開口部
Ｋ１  第一外周切欠き部
Ｋ２  第二外周切欠き部
２  上面部材
２１ａ  上面脚部
２１ｂ  上面辺
２１ｃ  上面起立部
２１ｄ  上面接地部
２１ｅ  作業孔
Ｄ  ドレイン
Ｄ１  単管
Ｄ２  フィルタ
Ｄ３  周辺部
Ｄ４  貫通ドレイン
Ｄ３１  外側傾斜面（第一斜面）
Ｄ３２  内側傾斜面（第二斜面）
Ｖ  キャンチバルコニー
Ｖ１  バルコニー床
Ｖ２  腰壁
Ｖ３  排水誘導溝
【図１】
0006035294.tif 000002
【図２】
0006035294.tif 000003
【図３】
0006035294.tif 000004
【図４】
0006035294.tif 000005
【図５】
0006035294.tif 000006
【図６】
0006035294.tif 000007
【図７】
0006035294.tif 000008
【図８】
0006035294.tif 000009
【図９】
0006035294.tif 000010
【図１０】
0006035294.tif 000011